(57)【要約】【課題】メモリカードのような記憶媒体を使用して記録や再生を行う場合に、その記憶媒体の装着時の確実性と交換時の容易性とを、簡単な機構で両立させる。【解決手段】信号の書き込み及び／又は読み出しが可能な記憶媒体を収納するスロットを有する記憶媒体収納部と、その記憶媒体収納部に配置されたスロットに蓋をする蓋部材３０と、蓋部材のロック機構部とで構成する。蓋部材３０は、記憶媒体収納部に配置されたスロットに蓋をし、その蓋をした位置から回転軸を中心とした回転で開閉し、回転軸の軸方向ｍに所定量スライドさせることが可能な構成とされる。ロック機構部は、蓋部材でスロットに蓋をした閉状態とすることで、その閉状態を維持させ、その閉状態が維持された位置で、蓋部材を前記回転軸の軸に沿った方向に所定量スライドさせることで、閉状態が解除される構成とした。【選択図】図５
2009253863.tif 000002
【特許請求の範囲】
【請求項１】
信号の書き込み及び／又は読み出しが可能な記憶媒体を収納するスロットを有する記憶媒体収納部と、
前記記憶媒体収納部に配置されたスロットに蓋をし、その蓋をした位置から回転軸を中心とした回転で開閉し、前記回転軸の軸方向に所定量スライドさせることが可能な蓋部材と、
前記蓋部材で前記スロットに蓋をした閉状態とすることで、その閉状態を維持させ、その閉状態が維持された位置で、前記蓋部材を前記回転軸の軸方向に所定量スライドさせることで、閉状態が解除されるロック機構部とを備えた
記憶媒体用カバー装置。
【請求項２】
前記蓋部材を所定量スライド可能に支持する回転軸に、弾性部材を配置し、
前記閉状態を解除する際には、前記弾性部材の弾性力に抗して所定量スライドさせる
請求項１記載の記憶媒体用カバー装置。
【請求項３】
前記スライドにより位置がほぼ平行移動する前記蓋部材の辺に、スロットに収納された記憶媒体に相当する機器から引き出された信号線を通過させる切り欠き部を設けた
請求項２記載の記憶媒体用カバー装置。
【請求項４】
前記回転軸として、それぞれ平行に配置された複数の回転軸を備え、
その複数の回転軸の内の１つの回転軸に沿って、前記蓋部材を所定量スライド可能な構成とした
請求項２又は３記載の記憶媒体用カバー装置。
【請求項５】
信号の書き込み及び／又は読み出しが可能な記憶媒体を収納するスロットを有する記憶媒体収納部と、
前記記憶媒体収納部に配置されたスロットに蓋をし、その蓋をした位置から回転軸を中心とした回転で開閉し、前記回転軸の軸方向に所定量スライドさせることが可能な蓋部材と、
前記蓋部材で前記スロットに蓋をした閉状態とすることで、その閉状態を維持させ、その閉状態が維持された位置で、前記蓋部材を前記回転軸の軸方向に所定量スライドさせることで、閉状態が解除されるロック機構部とを備えた
記録再生装置。
【請求項６】
画像の撮像を行う撮像部を備えて、該撮像部が撮像した画像信号を前記スロットに収納された記憶媒体に記憶させる
請求項５記載の記録再生装置。
【発明の詳細な説明】
【技術分野】
【０００１】
本発明は、撮像して得た画像信号を記憶する記憶媒体としてメモリカードを使用したビデオカメラのメモリカードの収納部に適用して好適な記憶媒体用カバー装置、及びそのカバー装置を備えた記録再生装置に関する。
【背景技術】
【０００２】
従来、記録部が一体に取付けられたビデオカメラにおいては、撮像して得た画像信号を記憶する記憶（記録）媒体として、磁気テープや光ディスクなどが使用されてきた。これに対して、近年の半導体メモリの記憶容量の増大や低コスト化に伴って、半導体メモリを内蔵したメモリカードを、記憶媒体として使用するようにしたものが実用化されている。
【０００３】
メモリカードを記憶媒体として使用することで、磁気テープや光ディスクを使用する場合と異なり、ビデオカメラが備える記憶部として、モータなどの可動機構を必要としなので、媒体への記憶（書き込み）や再生（読み出し）の機構が非常に簡単である。また、メモリカードは、媒体そのもののサイズについても磁気テープやディスクなどに比べて小型であり、ビデオカメラの媒体装着部を非常に小型かつ軽量に構成させることが可能となる。
【０００４】
特許文献１には、記憶媒体としてメモリカードを使用したビデオカメラの一例についての記載がある。
【特許文献１】特開２００３−６９９５１号公報
【発明の開示】
【発明が解決しようとする課題】
【０００５】
ところで、ビデオカメラにメモリカードを装着するカードスロットを設けた場合、そのカードスロットの配置位置として、適切な位置を選定する必要があった。特に、放送局などで使用される放送局用のビデオカメラや、それに準じた使用が行われる業務用のビデオカメラの場合には、撮影しながら簡単にメモリカードを交換できるようにする必要がある。
【０００６】
メモリカードを撮影作業中に迅速な交換を行うためには、例えば片手でビデオカメラを持った状態で、もう一方の手だけで簡単に交換できるようにする必要がある。しかしながら、単に簡単に外せるようにすると、撮影中に不用意にメモリカードが外れてしまう可能性があり、最悪の場合には撮影がエラーとなってしまう。このため、メモリカードを装着している際には、その装着状態が確実に維持されると共に、取り外す必要がある際には、簡単に外せるようにするという、相反する２つの要求を満たす必要がある。
【０００７】
従来のビデオカメラでは、このようなメモリカード装着時の装着の確実性と、取り外し時（或いは装着時）の容易性とが、必ずしも両立した構成であるとは言えなかった。
なお、ここまでの説明では、メモリカードスロットを備えたビデオカメラの問題について説明したが、メモリカードなどの比較的小型の記憶媒体をスロットに装着可能な記録再生装置には、装着中の確実性と、取り外し時や装着時の容易性を両立させるのが困難であるという問題がある。
【０００８】
本発明はかかる点に鑑みてなされたものであり、メモリカードのような記憶媒体を使用して記録や再生を行う場合に、その記憶媒体の装着時の確実性と交換時の容易性とを、簡単な機構で両立させることを目的とする。
【課題を解決するための手段】
【０００９】
本発明は、信号の書き込み及び／又は読み出しが可能な記憶媒体を収納するスロットを有する記憶媒体収納部と、その記憶媒体収納部に配置されたスロットに蓋をする蓋部材と、蓋部材のロック機構部とで構成される。
蓋部材は、記憶媒体収納部に配置されたスロットに蓋をし、その蓋をした位置から回転軸を中心とした回転で開閉し、回転軸の軸方向に所定量スライドさせることが可能な構成とされる。
ロック機構部は、蓋部材でスロットに蓋をした閉状態とすることで、その閉状態を維持させ、その閉状態が維持された位置で、蓋部材を前記回転軸の軸方向に所定量スライドさせることで、閉状態が解除される構成とした。
【００１０】
このようにしたことで、記憶媒体を収納したスロットを、蓋部材で蓋をすることで、収納された記憶媒体の装着状態が維持される。そして、蓋部材を開ける際には、蓋部材を開閉させるために回転させる方向とは異なる方向である、回転軸が伸びた方向にスライドさせて、ロックを解除する作業を行う。従って、蓋部材をスライドさせない限り、蓋部材が開かず、記憶媒体が外れることがない。また、ロックを解除するために蓋部材をスライドさせる作業は、指などで蓋を押さえながら、その押さえた指でスライドさせることが可能であり、片手で簡単に操作可能である。
【発明の効果】
【００１１】
本発明によると、蓋部材をスライドさせない限り、蓋部材が開かず、記憶媒体が外れることがなく、装着した記憶媒体の装着の確実性が保たれる。また、ロックを解除するために蓋部材をスライドさせる作業は、指などで蓋を押さえながら、その押さえた指でスライドさせることが可能であり、片手で簡単に操作可能である。このため、例えばビデオカメラに適用した場合には、そのビデオカメラで撮影作業を行っている最中に、片手で簡単にロックを解除することができ、必要な際に容易に取り外したり、装着させることができる。
【発明を実施するための最良の形態】
【００１２】
以下、本発明の一実施の形態を、添付図面を参照して説明する。本実施の形態においては、撮像して得た画像信号を記憶させる記憶媒体として、メモリカードを使用した記憶部（記録部）一体型のビデオカメラに適用した例としてある。メモリカードとしては、本例の場合には、エクスプレスカード（Express Card）と称される規格のメモリカードを使用するようにしてある。
【００１３】
図１は、本発明を適用した撮像装置である、ビデオカメラの側面図であり、図２は、そのビデオカメラの外観斜視図、図３は図１に示すビデオカメラの使用状態を示す説明図である。
【００１４】
図１〜図３に示すように、本実施の形態のビデオカメラ１は、映像信号や音声信号などの情報の記憶媒体として、半導体メモリをカードに収納させたメモリカードを用いたデジタルビデオカメラである。このビデオカメラ１は、レンズ装置から入力される被写体の光学的な画像を撮像素子で電気的な信号に変換し、内蔵されたメモリカードや外付けされる記憶（記録）媒体に記録したり、ビューファインダ等の表示装置に表示できるようにしたものである。撮像素子としては、例えば、ＣＣＤやＣＭＯＳ等を挙げることができる。また、表示装置として、図示しない液晶ディスプレイや有機ＥＬディスプレイ等を設け、ビューファインダと併用して用いることもできる。
【００１５】
この実施の形態で示すビデオカメラ１は、業務用及び民生用の何れにも使用できるものである。更に、本発明の撮像装置としては、この実施の形態のデジタルビデオカメラに限定されるものではなく、アナログビデオカメラは勿論のこと、例えば、テレビカメラ、スチルカメラ、監視カメラ、その他の撮像装置として用いることができるものである。
【００１６】
このビデオカメラ１は、カメラ本体２と、レンズ装置３と、前述した撮像素子と、ビューファインダとしての電子ビューファインダ４等から構成されている。カメラ本体２は、撮像装置本体の一具体例を示すもので、前面が開口された筐体からなっている。このカメラ本体２の内部に制御装置が内蔵されていて、その制御装置によりレンズ装置３や図示しない撮像素子その他の装置及び機構が駆動制御されて所定の動作をするようになっている。カメラ本体２の前面には、レンズ装置３を着脱可能に取り付けるための接合部が設けられており、この接合部の略中央部に図示しない撮像素子が配置されている。撮像素子の受光面は被写体側に向けられており、その受光面の略中央部に、カメラ本体２に装着されたレンズ装置３の光軸が略一致するように構成されている。
【００１７】
レンズ装置３は、複数個のレンズ鏡筒と、複数枚のレンズの組み合わせからなる撮像レンズと、所定のレンズ鏡筒を光軸方向へ移動させるレンズ駆動部とを有している。複数個のレンズ鏡筒は、相対的に回動及び／又は光軸方向へ移動可能に構成されており、これら複数個のレンズ鏡筒に対して複数枚のレンズが取り付けられている。そして、レンズ駆動部の作動で所定のレンズ鏡筒を回転又は光軸方向へ移動させて撮像レンズを調整することにより、焦点合わせ、ズーム機能等を発揮し得るように構成されている。このレンズ装置３の前部には、撮像レンズに入射される不要な光を除去するレンズフード５が着脱可能に取り付けられている。
【００１８】
カメラ本体２の上部には、レンズ装置３の光軸方向である前後方向に延在されたハンドル部６が取り付けられている。このハンドル部６の前部に、電子ビューファインダ４が位置調整可能に支持されている。
また、図１などに示すようにハンドル部６の後方上面には、アクセサリシュー９０が取付けてある。このアクセサリシュー９０は、このビデオカメラに取付ける必要がある付属品を、取付けるためのものであり、前後方向にスライドさせてアクセサリシュー９０に固定させる。後述するハードディスクドライブ装置（図７参照）は、このアクセサリシュー９０を使用して取付けられる。
【００１９】
また、カメラ本体２の一方の側面部（本実施の形態例では右側面部）には、カメラ本体２を把持するためのグリップ部８が設けられている。グリップ部８は、カメラ本体２に側方へ突出するように設けたグリップ台９の側面に固定されており、片手でカメラを持つのに都合のよい大きさ及び形状とされている。このグリップ部８の上面の略中央部には、レンズ装置３をズーム動作させるためのズームボタン１０が設けられている。更に、グリップ部８には、このグリップ部８を掴むユーザーの手を支えてカメラ本体２の取り落としを防止するための保護バンド１１が取り付けられている。
【００２０】
図１に示すように、カメラ本体２の左側面部２ａには、このビデオカメラ１を操作するための多数の操作ボタン１２，２６や操作ダイヤル２３，２４などの各種操作手段が配置してある。操作ボタンは、図１で示した側と反対側のカメラ本体２の右側面部にも配置されているが、使用中は、ユーザーの右手は専らカメラ本体２を持つために使用されるため、右側面部の操作ボタンの数は左側面部の操作ボタンの数よりも多いものではない。これらの操作ボタンとしては、例えば、電源ボタン、録画ボタン、再生ボタン、早送りボタン、戻りボタン、シャッタボタン、その他各種の機能ボタンを挙げることができる。
また、左側面部２ａには、メモリカード装着部の蓋部材３０が配置してあり、その蓋部材３０を開けることで、メモリカードのスロットが露出する構成としてある。蓋部材３０などのメモリカード装着部の構成の詳細については後述する。
【００２１】
また、カメラ本体２のレンズ装置３が装着される前部と反対側の後部２ａは、背面に向かって上方へ跳ね上がるように構成されている。即ち、図１に示すように、カメラ本体２の底面１４は略水平をなすように形成されているが、その底面１４の後部から背面に掛けて、上方へ湾曲して背面に達するように下斜面部１５が設けられている。下斜面部１５の上の部分のカメラ本体２は、下斜面部１５の傾斜に対応して、前方に傾斜した状態で各操作部やメモリカード装着部を配置してある。
【００２２】
カメラ本体２の下斜面部１５は、ユーザーがビデオカメラ１を持つ際の肩当部を構成している。この肩当部は、カメラ本体２の下斜面部１５をそのまま用いても良いが、本実施の形態例においては、カメラ本体２に対して進退動作可能に取り付けられた肩当パッド１６を、下斜面部１５に取り付けてある。
【００２３】
更に、カメラ本体２の背面には、下斜面部１５の上方に連続すると共に、前方へ折り返すように傾斜された上斜面部１７が設けられている。図２に示すように、この上斜面部１７のグリップ部８側には、電源バッテリー２０が着脱可能に装着されるバッテリー収納部２１が設けられている。そして、カメラ本体２の背面のバッテリー収納部２１と反対側には、図３の使用例に示されるように、頬当パッド２２が回動可能に取り付けられている。
【００２４】
次に、図４以降の図を参照して、本実施の形態のビデオカメラ１の本体２に設けた、メモリカード装着部の構成について説明する。
図４〜図６は、ビデオカメラ１の本体２の後部を拡大して示した図であり、図４は蓋部材３０を閉じた状態、図５は蓋部材３０を若干スライドさせた状態、図６は蓋部材３０を開いた状態をそれぞれ示している。
【００２５】
図４に示すように、蓋部材３０は、下斜面部１５の傾斜に対応して斜めに配置してあり、図４に示した回動中心軸ｍを中心にして回動して開閉する構成としてある。回動中心軸ｍについても、下斜面部１５と直交する斜めに配置してある。但し後述するように蓋部材３０は複数の軸部材で支持する構成としてあり、回動中心を示す回動中心軸ｍの位置は、蓋部材３０を開くことで位置が動く。図６の蓋部材３０を開いた状態で示される軸４１が、開いた状態での回動中心軸ｍの位置である。
【００２６】
図６に開いた状態で示したように、蓋部材３０の軸４１配置位置から離れた側の縁部３３の途中に、ロック用切欠き部３４を設けてある。ロック用切欠き部３４の詳細な形状は、図９及び図１０の拡大図に示してある。
そして本体２側には、蓋部材３０を閉じた際にロック用切欠き部３４と当接する位置に、フック部２７を設けてある。本体側のフック部２７と、蓋部材３０側のロック用切欠き部３４とが当接することで、蓋部材３０が開かないようにロックされ、ロック機構部として機能する。閉じる際には、フック部２７がロック用切欠き部３４の突起した箇所を乗り越えて、ロックされる。さらにそのロック状態は、蓋部材３０を軸４１の長手方向にスライドさせることで、解除される構成としてある。
【００２７】
即ち、図５に示すように、蓋部材３０を回動中心軸ｍ（即ち軸４１）の長手方向に沿って上側に数ｍｍ程度スライドさせることで、ロック状態が解除される。このときには、例えば蓋部材３０の下端部３０ａを指で押して、スライドさせる操作を行う。このとき、指で下端部３０ａを押すために、蓋部材３０の下端部３０ａと接する位置の、本体左側面２ａに窪み部２５を設けてあり、指で下端部３０ａを押すことができる構成としてある。
【００２８】
図６の蓋部材３０を開いた状態で示されるように、蓋部材３０で閉じられる位置には、２つのカードスロット８１，８２が配置してある。カードスロット８１，８２についても、蓋部材３０と同様に斜めに傾斜した配置としてある。２つのカードスロット８１，８２には、エクスプレスカード（Express Card）と称される規格のメモリカード１０１，１０２を装着できる。カードスロット８１，８２には、装着されたメモリカード１０１，１０２の端子と導通する端子部（図示せず）を備え、装着されたメモリカード１０１，１０２が、ビデオカメラ本体側の回路と接続される。図６では２枚装着した状態で示してあるが、１枚だけ装着して使用してもよい。或いは、後述するハードディスクドライブ装置２００のカードスロット装着部２０４を装着してもよい。
【００２９】
各カードスロット８１，８２の下には、それぞれのカードスロットごとに個別にカード取出し用ボタン（図示せず）が配置してあり、それぞれのボタンを押すことで、各カードスロット８１，８２に収納されたメモリカードを取出すことができる。このカード取出し用ボタンについても、蓋部材３０が閉じた状態では、その蓋部材３０で隠れる位置に配置してある。
【００３０】
蓋部材３０には、２つの縦長の窓３１が配置してある。２つの窓３１の配置位置は、カードスロット８１，８２の配置位置に対応した位置に設けてあり、蓋部材３０を閉じた状態で、２つの窓３１を介して内部にメモリカード１０１，１０２の装着の有無が確認できる。２つの窓３１は、透明或いは透過率が制限された透明樹脂部材が配置してある。
【００３１】
また、各カードスロット８１，８２の配置位置の上側には、カード用パイロットランプ８３，８４が並べて配置してある。この２つのカード用パイロットランプ８３，８４は、蓋部材３０を閉じた状態では内部に隠れる位置としてあり、２つの窓３１を通して点灯状態が確認できる構成としてある。パイロットランプ８３は、カードスロット８１に装着されたメモリカードのアクセス状態などを発光により示し、パイロットランプ８４は、カードスロット８２に装着されたメモリカードのアクセス状態などを発光により示す。
【００３２】
なお、本実施の形態のビデオカメラ１は、図７及び図８に示すように、各カードスロット８１，８２を使用して、外部記憶媒体としてのハードディスクドライブ装置２００を取付けることが可能としてある。図７が蓋部材３０を閉じた状態であり、図８が蓋部材３０を開いた状態である。
【００３３】
ハードディスクドライブ装置２００は、図７に示すように、ハンドル部６の上のアクセサリシュー９０に、本体２０１を取付ける構成としてある。本体２０１内には、ハードディスクドライブを内蔵させてあり、そのハードディスクドライブを駆動する電源として、バッテリー２０５が本体２０１に取付けられる。
ハードディスクドライブ装置２００には、数十ｃｍ程度の長さのケーブル２０２を介して、図８に示したカードスロット装着部２０４が取付けてある。即ち、図８に示したように、ケーブル２０２の一端をハードディスクドライブ装置本体２０１に接続させてあり、他端をカードスロット装着部２０４に接続させてある。カードスロット装着部２０４は、メモリカード１０１，１０２と同様に、エクスプレスカード規格のメモリカードサイズとしてあり、メモリカードと同様の端子配列としてある。
【００３４】
このカードスロット装着部２０４を、カードスロット８１に装着することで、メモリカード１０１，１０２の代りとして、ハードディスクドライブ装置２００を記憶媒体として使用できる。ビデオカメラ本体側では、記憶容量が大きな記憶媒体がカードスロットに装着されたものとして認識される。
【００３５】
ハードディスクドライブ装置２００のカードスロット装着部２０４を、カードスロット８１に装着させた際には、信号線２０２をカードスロットの外側に引き出す必要がある。
このため本実施の形態においては、図４〜図６に示すように、蓋部材３０の上端部３０ｂに、切欠き部３２を設けて、蓋部材３０と閉じた際に隙間が生じる構成としてある。切欠き部３２は、信号線２０２を通すことができる幅に設定してある。
【００３６】
次に、蓋部材３０を回動させて開閉させる機構の詳細について、図９から図１１を参照して説明する。
図９は、蓋部材３０が閉じた状態での、その蓋部材３０の裏側と、蓋部材３０を支持するヒンジ部の位置を示したものである。図１０は、図９の各部材を分解して示す図である。
図９及び図１０に示すように、蓋部材３０は、既に説明したように、縁部３３の途中にロック用切欠き部３４が設けてあり、その縁部３３が配置された位置と離れた側に、支持部３５，３６が設けてある。各支持部３５，３６には、１本の軸部材４１を挿通させてあり、その軸部材４１には、第１連結部材５０の支持部５１を挿通させてある。第１連結部材５０側の支持部５１と、蓋部材３０側の支持部３６との間の軸部材４１には、コイル状のバネ４２を回巻させてある。図５に示したように蓋部材３０をスライドさせる際には、このバネ４２の弾性力に抗して、軸部材４１の長手方向にスライドさせることになる。
【００３７】
図１０の分解図に示したように、第１連結部材５０は、支持部５２に軸部材４３を挿通させてあり、その軸部材４３には、第２連結部材６０の支持部６２を挿通させてある。さらに、第２連結部材６０は、支持部６１に軸部材４４を挿通させてあり、その軸部材４４には、第３連結部材７０の支持部７１を挿通させてある。第３連結部材７０は、ネジ孔７２が設けてあり、ネジ４５を使用して、本体左側面２ａの裏面側に取付けられる。なお、図９及び図１０では、蓋部材３０を開かせる方向に作用させるバネ部材は省略してあるが、蓋部材３０を開かせる方向に作用させるバネ部材が各軸部材４１，４３，４４の配置位置に設けてある。
【００３８】
図１１は、このように構成される蓋部材３０とその支持機構の開閉時の動きを、断面で示した図である。
図１１Ａに示すように、蓋部材３０が閉じた状態では、メモリカード１０１，１０２の端部を覆うように位置する。この状態から、蓋部材３０のロックが外れることで、各連結部材５０，６０，７０を支持した軸部材４１，４３，４４の位置で回動して、図１１Ｂ及び図１１Ｃに示す状態に開く。図１１Ｃの状態は、軸部材４３で支持された箇所が開いた状態であり、図１１Ｂの状態は、軸部材４３で支持された箇所が開いていない状態である。
【００３９】
この図１１に示すように、複数の回動軸を設けて開閉される構成としたことで、開いた際には、閉じた状態では本体左側面２ａとほぼ同一平面にある蓋部材３０を、大きく開く構成とすることができる。なお、図１１Ｂと図１１Ｃを比較すると判るように、軸部材４３で支持された第１連結部材５０と第２連結部材６０との動きはわずかである。従って、軸部材４３を省略して、第１連結部材５０と第２連結部材６０とを一体に固定した構成としてもよい。
【００４０】
メモリカードのスロットの蓋として、このように構成したことで、蓋を閉じた際の閉じた状態の確実性と、蓋を開ける際の容易性とを良好に両立させることができる。
即ち、蓋部材３０を閉じた状態では、ロックされた状態であり、カードスロット８１、８２に収納させたメモリカードが取り出せない状態であり、不用意にメモリカードが外れることがない。そして、その閉じた状態の蓋部材３０を開けるためには、蓋部材３０を開くために回動させる方向とは全く異なる軸部材４１に沿った方向にスライドさせる必要があり、そのスライドさせる操作をしない限り蓋部材３０は開かず、不用意に蓋が開くことがない。
蓋部材３０をスライドさせる操作そのものは、指で蓋部材３０を図４に示した状態から図５に示した状態に押し上げるだけでよく、例えば図３に示したように片手でビデオカメラ１を持った状態で、反対側の手で簡単にスライドさせることができる。従って、撮影中で片手での操作が必要な場合でも、簡単にメモリカードスロットを開けて、メモリカードの交換を行うことができる。従って、本実施の形態の如きビデオカメラ用のメモリカードスロット部に適用して好適である。
【００４１】
また、図７及び図８に示したように、メモリカードとは異なる外部記憶媒体であるハードディスクドライブ装置２００を接続する場合に必要な信号線２０２が、蓋部材３０の切欠き部３２を避けて配置される。従って、ハードディスクドライブ装置２００を装着する場合であっても、蓋部材３０を閉めることが可能である。しかも、蓋部材３０の上端に切欠き部３２を設けたので、蓋部材３０を開けるためにスライドさせる際に、邪魔にならない効果を有する。
【００４２】
次に、ここまで説明したビデオカメラ１の内部構成例を、図１２を参照して説明する。
図１２に示すビデオカメラ１は、複数のレンズ群で構成されるレンズ装置３を通して結像された被写体光を光電変換し、映像信号として出力する撮像部３０１を備える。撮像部３０１は、図示せぬアナログ・デジタル変換部（以降、Ａ／Ｄ変換部と称する）を備えており、その後段には、Ａ／Ｄ変換部から出力されたデジタル映像信号に対するデジタル信号処理を行う、信号処理部３０２を接続してある。
【００４３】
信号処理部３０２では、ある輝度レベル以上の映像信号を圧縮するニー補正や、映像信号のレベルを予め設定されたγカーブに従って補正するγ補正、映像信号の信号レベルが所定範囲となるように制限するホワイトクリップ処理やブラッククリップ処理等を行う。
【００４４】
撮像部３０１による撮像や、信号処理部３０２での処理は、制御部３０８の制御に基づいて行われる。制御部１は、ＣＰＵ（Central Processing Unit）等で構成される中央制御装置であり、撮像部３０１や信号処理部３０２の他にも、伝送ライン３０９を介して接続されたビデオカメラ１の各部に対する制御を行う。制御部３０８から各部に対して行われる制御は、制御部３０８に接続された操作部を構成するボタン１２などに対する操作入力に基づいて行われる。
【００４５】
信号処理部３０２でデジタル信号処理された映像信号は、各部間で行われるデータのやりとりの仲介を行う、インターフェース部３０３に伝送される。インターフェース部３０３には、撮影の構図決定や焦点合わせ等を行うためのビューファインダ４と、映像信号の圧縮又は伸張を行う圧縮伸張処理部３０６を接続してある。圧縮伸張処理部３０６には、記録再生制御部３０７を接続してあり、記録再生制御部３０７を介して、カードスロット８１又は８２（図６）に装着されたメモリカード１０１，１０２が接続されている。
【００４６】
圧縮伸張処理部３０６では、撮像部３０１で撮像された映像信号を、例えばＭＰＥＧ（Moving Picture Experts Group）形式等の規格に基づいて圧縮する処理を行う。圧縮伸張処理部３０６で圧縮されたデータは、記録再生制御部３０７を介してメモリカード１０１，１０２に伝送され、メモリカード１０１，１０２に記録される。圧縮伸張処理部３０６では、メモリカード１０１，１０２に記録された圧縮映像データを伸張する処理も行い、伸張した映像データは、インターフェース部３０３に伝送する。
【００４７】
記録再生制御部３０７は、圧縮伸張処理部３０６で所定のフォーマットに圧縮された映像データを、メモリカード１０１，１０２に書き込む（記録する）処理及び、メモリカード１０１，１０２に記録された映像データを読み出して再生する制御を行う。本例の場合には、メモリカード１０１，１０２が装着されるカードスロットとして、２つのカードスロット８１，８２を用意したので、その２つのカードスロット８１，８２に装着されたメモリカード１０１，１０２を交互に使用するなどして、長時間の連続録画が行える。
【００４８】
なお、上述した実施の形態では、記憶媒体としてメモリカードだけを使用した撮像装置に適用したが、メモリカード以外の記憶媒体とメモリカードとを記憶媒体として併用した撮像装置として構成してもよい。
また、メモリカードとしては、上述したエクスプレスカード以外の規格のメモリカードを使用するようにしてもよい。また、メモリカードを装着するカードスロットとして、２つのカードスロットを配置した例としたが、１つのカードスロットだけを配置した構成としたり、或いは３つ以上のカードスロットを配置した構成としてもよい。各カードスロットそのものの配置としても、スロットを直立させて傾斜させて配置した形状としたが、傾斜させずに直立させたスロットとしてもよい。
【００４９】
また、上述した実施の形態では、カードスロットの蓋部材として、開けた際には前方に回動して開く構成としたが、その他の方向に回動して開く構部材としてもよい。例えば、後方に回動して開く構成としてもよい。
さらに、図９や図１０に示した蓋部材を支持する連結機構についても、一例を示したものであり、同様に開閉可能な機構であれば、図示の例に限定されるものではない。蓋部材を軸方向にスライドさせる機構についても、その他の機構としてもよい。例えば、コイル状のバネ４２以外の弾性部材を配置してもよい。
【図面の簡単な説明】
【００５０】
【図１】本発明の一実施の形態によるビデオカメラの構成例を示す側面図である。
【図２】本発明の一実施の形態によるビデオカメラの構成例を示す斜視図である。
【図３】本発明の一実施の形態によるビデオカメラの使用状態の例を示す斜視図である。
【図４】本発明の一実施の形態によるビデオカメラの要部を拡大して示す側面図である。
【図５】図４の状態から蓋部をスライドさせた状態を示す側面図である。
【図６】図４の状態から蓋部を開いた状態を示す側面図である。
【図７】図４例の撮像装置にハードディスクドライブを取り付けた状態を示す側面図である。
【図８】図７の状態から蓋部を開いた状態を示す側面図である。
【図９】本発明の一実施の形態によるビデオカメラが備える蓋部とそのヒンジ部の例を示した斜視図である。
【図１０】図９の蓋部とヒンジ部を分解して示す分解斜視図である。
【図１１】本発明の一実施の形態による蓋部とヒンジ部の開閉時の動きを示した断面図であり、図１１Ａは閉状態、図１１Ｂは開状態（完全に開く直前の状態）、図１１Ｃは開状態（完全に開いた状態）を示す。
【図１２】本発明の一実施の形態によるビデオカメラの内部構成例を示すブロック図である。
【符号の説明】
【００５１】
１…ビデオカメラ、２…カメラ本体、２ａ…本体左側面、３…レンズ装置、４…電子ビューファインダ、５…レンズフード、６ハンドル部、８グリップ部、９グリップ台、１０…ズームボタン、１１…保護バンド、１２…操作ボタン、１４…底面、１５…下斜面部、１６…肩当パッド部、２０…電源バッテリー、２１…バッテリー収納部、２２…頬当パッド部、２３，２４…操作ダイヤル、２５…窪み部、２６…操作ボタン、２７…フック部、３０…蓋部材、３０ａ…下端部、３０ｂ…上端部、３１…窓、３２…切欠き部、３３…縁部、３４…ロック用切欠き部、３５，３６…支持部、４１…軸部材、４２…バネ、４３，４４…軸部材、４５…ネジ、４６，４７…バネ、５０…第１連結部材、５１，５２…支持部、６０…第２連結部材、６１，６２…支持部、７０…第３連結部材、７１…支持部、７２…ネジ孔、８１，８２…カードスロット、８３，８４…パイロットランプ、９０…アクセサリシュー、１０１，１０２…メモリカード、２００…ハードディクス装置、２０１…ハードディスク本体部、２０２…信号線、２０４…カードスロット装着部、２０５…バッテリー、３０１…撮像部、３０２…信号処理部、３０３…インターフェース部、３０４…音声処理部、３０５…マイクロフォン、３０６…圧縮伸張処理部、３０７…記録再生制御部、３０８…制御部、３０９…伝送ライン
【図１】
2009253863.tif 000003
【図２】
2009253863.tif 000004
【図３】
2009253863.tif 000005
【図４】
2009253863.tif 000006
【図５】
2009253863.tif 000007
【図６】
2009253863.tif 000008
【図７】
2009253863.tif 000009
【図８】
2009253863.tif 000010
【図９】
2009253863.tif 000011
【図１０】
2009253863.tif 000012
【図１１】
2009253863.tif 000013
【図１２】
2009253863.tif 000014